(57)【要約】      （修正有）【課題】机を挟んで対面で会話等をする者同士が、お互いを視認しつつ、夫々から放出される病原菌やウイルス等を含むかもしれない飛沫の相手方への到達を防ぐことができ、しかも、容易に設置することができる感染防止パーテションを提供する。【解決手段】机等の什器１００を挟んで会話等をする少なくとも２人の使用者の間の空間を仕切るために配置する感染防止用パーテション１であって、透明性を有する合成樹脂により形成された遮蔽シート１０と、合成樹脂の発泡体により形成される遮蔽シート１０の縁を固定する枠体２０と、枠体２０を起立姿勢に保持するため枠体２０の下部に配置する脚部３０とを備える。【選択図】図１
0003228491.tif 000002
【実用新案登録請求の範囲】
【請求項１】
机等の什器を挟んで会話等をする少なくとも２人の使用者の間の空間を仕切るために配置する感染防止用パーテションであって、
透明性を有する合成樹脂により形成された遮蔽シートと、
合成樹脂の発泡体により形成される前記遮蔽シートの縁を固定する枠体と、
前記枠体を起立姿勢に保持するため前記枠体の下部に配置する脚部と、
を備える感染防止用パーテション。
【請求項２】
前記枠体は、その高さを机上設置タイプのパーテションに適合した高さに形成するか、又は床上設置タイプのパーテションに適合した高さに形成する、請求項１に記載の感染防止用パーテション。
【請求項３】
前記枠体は、一方の使用者に対面する第一枠部材と、他方の使用者に対面する第二枠部材とにより形成し、
前記遮蔽シートは、前記第一枠部材と前記第二枠部材の対向面で挟持された状態で固定する、請求項１又は２に記載の感染防止用パーテション。
【請求項４】
前記遮蔽シートは、前記枠体の一方の外面に固定される請求項１〜４のいずれかに記載の感染防止用パーテション。
【請求項５】
前記脚部は、前記枠体が嵌る凹部を有し平面視で前記枠体と直交する向きに配置される請求項１〜４のいずれかに記載の感染防止用パーテション。
【請求項６】
前記脚部は、前記枠体の下端側を枠体の前後方向に延伸した形で前記枠体と一体をなす請求項１〜５のいずれかに記載の感染防止用パーテション。
【考案の詳細な説明】
【技術分野】
【０００１】
本考案は、飛沫感染や接触感染を防止するためのパーテションに関する。
【背景技術】
【０００２】
従来から、店舗やオフィスなどで空間を仕切るために、様々なパーテションが使用されている。例えば、特許文献１では、光散乱処理が施されたほぼ透明の導光板と、この導光板の端面から導光板の内部に光を供給する光源とを備えたパーテションが開示されている。このパーテションでは、光源が非点灯のときは導光板が透明なので向こう側を見通せ、光源が点灯すると導光板が導入した光が散乱されて向こう側を見通せない光学的な遮蔽体として機能するようになっている。従来のパーテションは、前記のような導光板の代わりに不透光性のシート材やパネル材を用いて視覚的な遮断効果を目的として形成されたものが大半である。
【０００３】
ところで昨今のインフルエンザウィルスや新型コロナウイルス等の感染防止を、オフィス等の仕事や業務等を行う場所における感染防止の観点からみると、従来の視覚的遮蔽機能しか備えていないパーテションでは感染防止を必要とする場所での使用は適切といえない。即ち、オフィス等においてテーブルやカウンター、或は机等の什器（以下、単に「机」という。）を挟んで対面する２人以上の人が、相手の顔や姿を視認しながら会話等をするとき、相手の顔や姿が全面的に視認でき且つ同時に飛沫感染や接触感染を防ぐには、従来の視覚遮断型のパーテションではその目的を達成することができないからである。なお前記什器にはキャビネットや保管庫、複写機等の事務機器が含まれる。
【先行技術文献】
【特許文献】
【０００４】
【特許文献１】特開２００２−２６６４６５号公報
【考案の概要】
【考案が解決しようとする課題】
【０００５】
そこで本考案は、机を挟んでお互いに相手方を視認しつつ会話等をするとき、夫々から放出される病原菌やウイルス等を含むかもしれない飛沫の相手方への到達を防ぐことができ、しかも、容易に設置して撤去や移動も簡単に行える感染防止用のパーテションを提供することを課題とする。
【課題を解決するための手段】
【０００６】
上記の課題を解決することを目的としてなされた本考案の感染防止用パーテションは、少なくとも２人の使用者が机を挟んで会話等をするとき前記使用者の間の空間を仕切るために配置するパーテションであって、透明性を有する合成樹脂により形成された遮蔽シートと、合成樹脂の発泡体により形成される前記遮蔽シートの縁を固定する枠体と、前記枠体を起立姿勢に保持するために前記枠体の下部に配置する脚部とを、備えることを特徴とする。
【０００７】
前記枠体は、一方の使用者に対面する第一枠部材と、他方の使用者に対面する第二枠部材とにより形成され、前記遮蔽シートが、前記第一枠部材と前記第二枠部材との対向面で挟持された状態で固定されることが好ましい。ここで前記枠体は、本考案感染防止パーテションが机上設置タイプ（机上パーテション）の場合には、一例として設置する天板面からの高さから８０ｃｍ〜１５０ｃｍ程度であり、床上設置タイプ（衝立型パーテション）の場合には床面からの高さが一例として１２０ｃｍ〜２００ｃｍ程度であれば足りる。なお、枠体の高さは前記数値に限られないこと勿論である。
【０００８】
前記遮蔽シートは、前記枠体の外面に固定することもできる。
【０００９】
前記脚部は、平面視で前記枠体と直交する向きで配置したとき、前記枠体が嵌る凹部を有することが好ましい。
【考案の効果】
【００１０】
本考案の感染防止用パーテションは、透明性を有する合成樹脂により形成された遮蔽シートと、合成樹脂の発泡体により形成される前記遮蔽シートの縁が固定される枠体と、枠体を起立姿勢で保持するため枠体の下部に配置する脚部とを有することにより、対面する使用者の顔等を視認しながら会話等をすることができ、また対面する使用者の間の空間を仕切ることにより対面して会話等をする者同士の飛沫が、相手方に到達するのを防ぐことができる。
【図面の簡単な説明】
【００１１】
【図１】本考案に係る感染防止用パーテションを机上パーテションに適用した一実施形態の斜視図である。
【図２】図１の机上パーテションのＡ−Ａ線断面図である。
【図３】本考案に係る机上パーテションの他の実施形態のＡ−Ａ線断面図である。
【図４】本考案に係る机上パーテションの別の実施形態のＡ−Ａ線断面図である。
【考案を実施するための形態】
【００１２】
〔第１実施形態〕
以下、本考案の感染防止用パーテションを机上パーテションに適用した例の一実施形態について図１及び図２を用いて説明する。なお、図１〜４は、本考案の理解を容易にするため、構造、形態を強調して表現している。
【００１３】
本実施形態の机上パーテション１は、図１に示すように、透明性を有する遮蔽シート１０と、遮蔽シート１０の周縁が固定される枠体２０と、枠体２０の下部に位置する脚部３０と、を有する。
図１の机上パーテション１は、机１００の天板１０１の上面に配置されて使用されるものであり、机１００を使用している者（以下、使用者という）同士が、その机１００を挟んで対向して会話等をする場合に使用される。
具体的には、机上パーテション１は、机１００を介して対向して会話している使用者同士の間に、遮蔽シート１０が各使用者と対向するように配置されると、遮蔽シート１０により、対向する使用者の間の空間を仕切ることができ、一方の使用者から他方の使用者に飛沫が到達するのを防ぐことができる。
以下、各構成要素について説明する。
【００１４】
［遮蔽シート１０］
遮蔽シート１０は、対向する使用者を視認することができる透明性を有しており、シート面で一方の使用者の飛沫が、他方の使用者に到達するのを防ぐためのものである。
遮蔽シート１０は、用途に応じて好適な透明性を有していれば足りる。具体的には、遮蔽シート１０は、対面している使用者の顔等が明確に視認できる高い透明性、遮蔽シート１０に付着した飛沫等は目立たない程度の低めの透明性、対向している使用者の姿が判る程度の半透明に近い透明性など、用途に応じた適切な透明度合の遮蔽シート１０を選択することができる。
【００１５】
遮蔽シート１０の大きさは、机上パーテション１を配置する机１００の大きさに応じて決めることができる。具体的には、机上パーテション１が配置される机１００の天板１０１の長辺に合わせて、遮蔽シート１０の長辺を決めることができる。これにより、例えば、片側に２人以上の使用者が座ることがある机１００であっても、一方の使用者側からの飛沫が、他方の使用者側に到達するのを防ぐことができる。
【００１６】
遮蔽シート１０の厚さは、８０μｍ〜５００μｍ程度であることが好ましく、本実施形態では、略１００μｍの厚さである。遮蔽シート１０の厚さが８０μｍ〜５００μｍであれば、遮蔽シート１０を、後述する枠体２０の第一枠部材２１と第二枠部材２２で容易且つ確実に挟持することができる。一方、遮蔽シート１０の厚さが５００μｍ以上であるときは、第一枠部材２１と第二枠部材２２に遮蔽シート１０を収容するための溝を設けることが好ましい。このようにすると遮蔽シート１０を挟持した部分が出っ張ることがなく、美観に優れる。
【００１７】
遮蔽シート１０は、ポリエチレンテレフタレート（ＰＥＴ）樹脂など、公知の合成樹脂を用いて製造することができる。
【００１８】
以上のように構成される遮蔽シート１０は、図２に示すように、その周縁が後述する枠体２０に挟持されて固定される。これにより、遮蔽シート１０と枠体２０との間において、飛沫が通過してしまうような隙間が形成するのを防ぐことができる。
【００１９】
［枠体２０］
枠体２０は、遮蔽シート１０の周縁を固定して、遮蔽シート１０の主面が使用者と対向する状態を維持できるようにするためのものである。つまり、机上パーテション１を机１００の天板１０１の上に配置したとき、一方の使用者の飛沫が他方の使用者に到達するのを防ぐ遮蔽シート１０により、対面した使用者同士の間の空間が仕切られる状態を維持するためのものである。
枠体２０は、図１に示すように、一方の使用者と対面する第一枠部材２１と、他方の使用者と対面する第二枠部材２２とにより形成されている。
【００２０】
第一枠部材２１は、図１に示すように、外縁２１ａの輪郭と内縁２１ｂの輪郭が横長の長方形状に形成されて、全体として横長の長方形状の枠に形成されている。
【００２１】
第二枠部材２２は、第一枠部材２１と同じ形状である。即ち、第二枠部材２２は、図１に示すように、外縁２２ａの輪郭と内縁２２ｂの輪郭が横長の長方形状に形成されて、全体として横長の長方形状の枠に形成されている。
【００２２】
第一枠部材２１と第二枠部材２２は、対向する面で遮蔽シート１０を挟持できるように形成されている。これにより第一枠部材２１と第二枠部材２２で遮蔽シート１０を保持できる。また、第一枠部材２１と第二枠部材２２は、発泡スチロール等の合成樹脂の発泡体により形成されている。これにより、机上パーテション１を軽量にすることができる。更に、第一枠部材２１は、例えば発泡スチロールを板状に加工したスチレンボードに、レーザー加工などの公知の切削加工を施すことにより製造することができる。
【００２３】
以上のように構成される第一枠部材２１と第二枠部材２２は、遮蔽シート１０を挟持できるように結合される。図１、図２に示した第１実施形態では、第一枠部材２１と第二枠部材２２の全周の対向面が、遮蔽シート１０を挟んで接着剤により結合されている。
なお、第一枠部材２１と第二枠部材２２は、遮蔽シート１０の挟持状態を維持できるのであれば、対向面の一部に接着剤を塗布して結合されてもよい。また、第一枠部材２１と第二枠部材２２の一方に溝を形成し、他方に前記溝に嵌合する凸部を形成することによって２つの枠部材２１，２２が溝嵌合で結合する態様であってもよい。
【００２４】
［脚部３０］
脚部３０は、机１００の天板１０１の上で、枠体２０を起立状態に維持するための部材である。脚部３０は、図１に例示するように、平面視で枠体２０と直交する向きで配置する。脚部３０は、枠体２０との結合のため上面に枠体２０が嵌る凹部３１を有する。
凹部３１の幅（図２の左右方向の幅）は、図２に示すように、枠体２０の厚さと略等しい。これにより、凹部３１に枠体２０を嵌めて、枠体２０を天板１０１の上で起立状態に維持できる。
【００２５】
脚部３０は、本実施形態では、枠体２０と同様に合成樹脂の発泡体により形成されているが、金属製、木製、ゴム製、セラミック製など他の素材により形成することもできる。
【００２６】
以上のように構成される脚部３０は、図１に示すように、枠体２０の下部において長さ方向の各々の端部に、配置されている。
なお、脚部３０は、本実施形態では、机上パーテション１として使用する際に凹部３１に枠体２０が嵌められるが、予め枠体２０を凹部３１に嵌めた状態で固定したものでもよい。
【００２７】
〔机上パーテション１の製造について〕
次に、机上パーテション１の製造方法の一例について説明する。
まず、第一枠部材２１、第二枠部材２２、及び遮蔽シート１０を用意する。次に、第一枠部材２１と第二枠部材２２の対向面に接着剤を塗布する。そして、接着剤を塗布した面に、遮蔽シート１０を配置した後、第二枠部材２２と第一枠部材２１を対面させて当接する。これにより、第一枠部材２１と第二枠部材２２は遮蔽シート１０を保持した状態で接着剤により相互に固定されて一体化される。
【００２８】
〔机上パーテション１が奏する効果について〕
机上パーテション１は、透光性を有する合成樹脂により形成された、一方の使用者の飛沫が他方の使用者に到達するのを防ぐための遮蔽シート１０と、合成樹脂の発泡体により形成され前記遮蔽シート１０がその周縁において固定される枠体２０と、枠体２０の下部に位置して前記枠体をパーテションとして起立させる脚部３０と、を有する。
上記構成により、２人以上の使用者が、机１００を挟んで対向して会話等をする場合に、その使用者の間に本考案机上パーテション１を配置すると、一方の使用者から他方の使用者に飛沫が到達するのを防ぐことができる。また、机上パーテション１を配置しても、透明性を有する遮蔽シート１０により、相手の顔を視認しながら会話等をすることができる。さらに、机上パーテション１は、上記の構造であることにより、比較的簡単に製造することができる。特に、枠体２０と脚部３０が合成樹脂の発泡体で形成されているとパーテション全体が軽量になるから、容易に持ち運びすることができる。
【００２９】
また、本考案机上パーテション１は、枠体２０が、一方の使用者と対向する第一枠部材２１と、他方の使用者と対向する第二枠部材２２とにより形成され、遮蔽シート１０が、第一枠部材２１と第二枠部材２２の対向する面で挟持された状態で固定されている。これにより、遮蔽シート１０の周縁端が外部に露出するのを防ぐことができ、使用者により遮蔽シート１０が周縁端から剥がされるのを防止することができる。
【００３０】
〔第２実施形態〕
次に、本考案机上パーテションの第２実施形態について図３を参照して説明する。第１実施形態と同じ構成要素には、第１実施形態と同じ符号を付し、説明を省略する。
第２実施形態の机上パーテション１Ａは、第二枠体４０が、一つの部材により構成されている。つまり、第１実施形態の枠体２０のように、第一枠部材２１と第二枠部材２２とで構成されていない。
【００３１】
第二枠体４０には、図3に示すように、第１実施形態の第一枠部材２１と第二枠部材２２からなる枠体２０と異なり、一つの部材で形成されているから前後両面が遮蔽シートを保持させる外面になる。そこで外面の一方に、接着剤が塗布された接着テープ９０により、遮蔽シート１０を固定している。なお、第１実施形態と同様に、遮蔽シート１０が、接着剤８０により第二枠体４０に固定されてもよい。
【００３２】
図３の脚部５０も、第１実施形態の脚部３０と同様に、机１００の天板１０１の上で、第二枠体４０の起立状態を維持するためのものであり、平面視で第二枠体４０と直交する向きで配置するとき第二枠体４０の下部が嵌る凹部５１を有する。
凹部５１の左右幅は、図3に示すように、第二枠体４０の厚さと略等しい。これにより、凹部５１に第二枠体４０を嵌めれば、第二枠体４０が起立した状態を維持できる。
【００３３】
第２実施形態の机上パーテション１Ａは、上記の構成により、第１実施形態のものより少ない部品点数で製造することができる。
【００３４】
〔第３実施形態〕
次に、本考案机上パーテションの第３実施形態について図４を参照して説明する。第１実施形態と同じ構成要素には、第１実施形態と同じ符号を付し、説明を省略する。
第３実施形態の机上パーテション１Ｂは、第三枠体６０が、一つの部材により構成されている。つまり、第１実施形態の枠体２０のように、第一枠部材２１と第二枠部材２２とで構成されていない。第３実施形態のパーテション１Ｂには、第１実施形態の遮蔽シート１０よりも厚い第二遮蔽シート７０が用いられている。
【００３５】
第３実施形態の第三枠体６０は、第２実施形態の第二枠体４０と同じ厚さに形成されている。第三枠体６０は、一方の前面に、第二遮蔽シート７０の周縁を収容するための収容溝６１が形成されている。
【００３６】
第二遮蔽シート７０は、その周縁が収容溝６１に収容された状態で、接着剤を備える接着テープ９０により、第三枠体６０に固定されている。なお、第１実施形態と同様に、第三枠体６０が、接着剤により第二遮蔽シート７０に固定されていてもよい。
【００３７】
第二遮蔽シート７０が固定された第三枠体６０は、第２実施形態の第二枠体４０と同様に、脚部５０の凹部５１に下部が嵌められると、起立した状態が維持できる。
【００３８】
以上に本考案感染防止パーテションの好適な実施形態を説明したが、これ以外にも、本考案の主旨を逸脱しない限り、上記実施形態で挙げた構成を取捨選択したり、他の構成に適宜変更したりすることができる。
例えば、第１実施形態の枠体２０、第２実施形態の第二枠体４０、及び第３実施形態の第三枠体６０は、全体の輪郭が横長の長方形状の枠体に形成されているが、本考案はこれに限定されない。枠体の輪郭を四角形以外の多角形や円形、或はキャラクターの輪郭を表す形状など、任意の形状にすることができる。この場合の遮蔽シートの形状は、枠体の形状に合わせた形にする。
【００３９】
第１実施形態では、枠体２０を形成する第一枠部材２１と第二枠部材２２が同じ形状であったが、本考案では、第一枠部材２１と第二枠部材２２の輪郭形状を異なる形状として、机上パーテションの表側と裏側の姿を異なる意匠に形成することもある。
【００４０】
また、第１実施形態の遮蔽シート１０を第一枠部材２１と第二枠部材２２で挟持して固定する場合でも、第一枠部材又は第二枠部材の一方に収容溝が形成されていてもよい。
【００４１】
更に本考案では、枠体２０，４０，６０の形態を、図示しないが逆凹状の略門型に形成する一方、脚部３０，５０を前記略門型の枠体の下端側を前後に延伸させ、その延伸部を脚部として機能させる形態にした机上パーテションとすることができる。この場合も遮蔽シートが枠体に保持される点は上記実施態様の例と同じである。
【００４２】
以上の実施形態は本考案感染防止パーテションを机上パーテションに適用した例であるが、本考案では感染防止パーテションを床面に設置する衝立タイプの感染防止パーテションに形成することができる。衝立タイプであると枠体２０，４０，６０の床面からの高さが１２０ｃｍから２００ｃｍ程度に形成され、この大きさの枠体に適合する大きさの遮蔽シート１０、７０を用いる。また脚体３０，５０の図面上の左右幅も高さが大きい枠体を安定に起立維持するために大きくすることが望ましい。
【符号の説明】
【００４３】
１    感染防止用の机上パーテション
１０  遮蔽シート
２０  枠体
３０  脚部
【図１】
0003228491.tif 000003
【図２】
0003228491.tif 000004
【図３】
0003228491.tif 000005
【図４】
0003228491.tif 000006
【手続補正書】
【提出日】令和2年7月21日(2020.7.21)
【手続補正１】
【補正対象書類名】実用新案登録請求の範囲
【補正対象項目名】全文
【補正方法】変更
【補正の内容】
【実用新案登録請求の範囲】
【請求項１】
机等の什器を挟んで会話等をする少なくとも２人の使用者の間の空間を仕切るために配置する感染防止用パーテションであって、
透明性を有する合成樹脂により形成された遮蔽シートと、
合成樹脂の発泡体により形成される前記遮蔽シートの縁を固定する枠体と、
前記枠体を起立姿勢に保持するため前記枠体の下部に配置する脚部と、
を備える感染防止用パーテション。
【請求項２】
前記枠体は、その高さを机上設置タイプのパーテションに適合した高さに形成するか、又は床上設置タイプのパーテションに適合した高さに形成する、請求項１に記載の感染防止用パーテション。
【請求項３】
前記枠体は、一方の使用者に対面する第一枠部材と、他方の使用者に対面する第二枠部材とにより形成し、
前記遮蔽シートは、前記第一枠部材と前記第二枠部材の対向面で挟持された状態で固定する、請求項１又は２に記載の感染防止用パーテション。
【請求項４】
前記遮蔽シートは、前記枠体の一方の外面に固定される請求項１又は２に記載の感染防止用パーテション。
【請求項５】
前記脚部は、前記枠体が嵌る凹部を有し平面視で前記枠体と直交する向きに配置される請求項１〜４のいずれかに記載の感染防止用パーテション。
【請求項６】
前記脚部は、前記枠体の下端側を枠体の前後方向に延伸した形で前記枠体と一体をなす請求項１〜５のいずれかに記載の感染防止用パーテション。